(57)【要約】【課題】  入出力ポートを容易かつ高精度に選択できる光合分波器を提供する。【解決手段】  光ファイバ１１の端面から出射された波長λ１〜λ３の光は、光学系１１１によりコリメートされ、回折格子素子１２１により波長分岐され、光学系１１２により集光される。光学系１１２により集光された波長λ１の光は、集光位置を経た後に発散し、光学系１１３によりコリメートされ、回折格子素子１２２を経て、光学系１１４により集光されて光ファイバ２２の端面に入射する。光学系１１２により集光された波長λ２，λ３の光は、集光位置に挿入された反射部１３２，１３３により反射され、光学系１１２によりコリメートされ、回折格子素子１２１を経て、光学系１１１により集光されて光ファイバ１２の端面に入射する。【選択図】  図２
2005308867.tif 000002
【特許請求の範囲】
【請求項１】
複数のポートのうちの何れかのポートに光を入力し、その光に含まれる各波長の光を前記複数のポートのうちの何れかのポートから出力する光合分波器であって、
前記複数のポートに含まれる第１群のポートの何れかに光が入力したときに、その光を出力する第１光学系と、
前記第１光学系により出力光を入力し、その光に含まれる各波長の光を空間的に分岐して、その分岐した各波長の光を互いに異なる光路へ出力する第１波長分岐素子と、
前記第１波長分岐素子から出力された各波長の光を集光する第２光学系と、
前記第２光学系に対向可能な第１反射面を有し、前記第２光学系により集光された各波長の光の集光位置への挿入および待避が自在であり、挿入されているときに前記第２光学系から前記第１反射面に入射した光を前記第２光学系へ反射させて前記第１群のポートの何れかから出力させる反射部と、
前記反射部が待避されているときに前記第２光学系により集光され前記集光位置を経て発散する光を入力し、その光を出力する第３光学系と、
前記第３光学系により出力各波長の光を入力し、これら各波長の光を同一方向の光路へ出力する第２波長分岐素子と、
前記第２波長分岐素子から出力された各波長の光を入力し、前記複数のポートに含まれる第２群のポートの何れかから各波長の光を出力する第４光学系と、
を備えることを特徴とする光合分波器。
【請求項２】
前記第１波長分岐素子および前記第２波長分岐素子の双方または何れか一方が回折格子素子を含むことを特徴とする請求項１記載の光合分波器。
【請求項３】
前記反射部が、前記第３光学系に対向可能な第２反射面を有し、挿入されているときに前記第３光学系から前記第２反射面に入射した光を前記第３光学系へ反射させて前記第２群のポートの何れかから出力させる、ことを特徴とする請求項１記載の光合分波器。
【請求項４】
前記反射部に隣接して設けられ、前記反射部が待避されているときに前記集光位置に挿入される透過部を更に備え、
前記第２光学系および前記第３光学系それぞれの光軸方向についての前記反射部の前記第１反射面と前記第２反射面との間の距離が、前記光軸方向についての前記透過部の厚さより小さい、
ことを特徴とする請求項３記載の光合分波器。
【請求項５】
前記第１または第２反射面が、透明部材の一方の面の一部に形成された反射膜であり、前記透過部が、前記透明部材のうち前記反射膜が形成されていない部分である、ことを特徴とする請求項４記載の光合分波器。
【請求項６】
前記反射膜の膜厚が０.５μｍ以下であることを特徴とする請求項５記載の光合分波器。
【請求項７】
前記反射部の前記第１反射面が複数の部分反射部を有することを特徴とする請求項１記載の光合分波器。
【請求項８】
前記反射部の前記第２反射面が複数の部分反射部を有することを特徴とする請求項３記載の光合分波器。
【請求項９】
請求項１〜８の何れか１項に記載の光合分波器と、
前記光合分波器の前記第１群のポートの何れかに接続された第１光パワー分岐素子および第１波長可変フィルタと、
前記光合分波器の前記第２群のポートの何れかに接続された第２光パワー分岐素子および第２波長可変フィルタと、
を備えることを特徴とする光デバイス。
【請求項１０】
請求項９記載の光デバイスを備え、多波長の信号光を伝送するとともに、その多波長の信号光を前記光デバイスにより処理する、ことを特徴とする光伝送システム。
【請求項１１】
複数のポートのうちの何れかのポートに光を入力し、その光に含まれる各波長の光を前記複数のポートのうちの何れかのポートから出力する光合分波器であって、
前記複数のポートの何れかに光が入力したときに、その光を出力する第１光学系と、
前記第１光学系により出力光を入力し、その光に含まれる各波長の光を空間的に分岐して、その分岐した各波長の光を互いに異なる光路へ出力する波長分岐素子と、
前記波長分岐素子から出力された各波長の光を集光する第２光学系と、
前記第２光学系により集光された各波長の光の集光位置に設けられ、複数の部分反射部を有し、これら複数の部分反射部の何れかに入射した光を前記第２光学系へ反射させて前記複数のポートの何れかから出力させる反射部と、
を備えることを特徴とする光合分波器。
【請求項１２】
前記波長分岐素子が回折格子素子を含むことを特徴とする請求項１１記載の光合分波器。
【発明の詳細な説明】
【技術分野】
【０００１】
本発明は、波長分割多重光通信システム等において信号光を合波または分波する光合分波器に関するものである。
【背景技術】
【０００２】
多波長の信号光を多重化して光伝送路により伝送する波長分割多重（ＷＤＭ: Wavelength Division Multiplexing）光通信システムでは、多波長の信号光を合波または分波する光合分波器が用いられる。特許文献１に開示された光合分波器は、各波長の光を入力または出力するポートを選択することが可能であり、信号光伝送経路や信号光波長がフレキシブルな光通信ネットワークにおいて好適に用いられる。
【０００３】
この特許文献１に開示された光合分波器は、入力ポートに入力した光に含まれる各波長の光を空間的に分岐する波長分岐素子と、この波長分岐素子により分岐された各波長の光を出力する先の出力ポートを任意に選択する回転ミラーと、を備える。すなわち、各波長の光の出力先である出力ポートは、回転ミラーの回転角によって決定される。
【特許文献１】米国特許第６６６１９４８号明細書
【発明の開示】
【発明が解決しようとする課題】
【０００４】
しかしながら、上記特許文献１に開示された光合分波器では、選択した出力ポートから光を出力させるためには、回転ミラーの回転角を高度に制御することが必要である。
【０００５】
本発明は、上記問題点を解消する為になされたものであり、入出力ポートを容易かつ高精度に選択することができる光合分波器を提供することを目的とする。
【課題を解決するための手段】
【０００６】
本発明に係る光合分波器は、複数のポートのうちの何れかのポートに光を入力し、その光に含まれる各波長の光を複数のポートのうちの何れかのポートから出力する光合分波器であって、(1) 複数のポートに含まれる第１群のポートの何れかに光が入力したときに、その光を出力する第１光学系と、(2) 第１光学系により出力光を入力し、その光に含まれる各波長の光を空間的に分岐して、その分岐した各波長の光を互いに異なる光路へ出力する第１波長分岐素子と、(3) 第１波長分岐素子から出力された各波長の光を集光する第２光学系と、(4) 第２光学系に対向可能な第１反射面を有し、第２光学系により集光された各波長の光の集光位置への挿入および待避が自在であり、挿入されているときに第２光学系から第１反射面に入射した光を第２光学系へ反射させて第１群のポートの何れかから出力させる反射部と、(5) 反射部が待避されているときに第２光学系により集光され集光位置を経て発散する光を入力し、その光を出力する第３光学系と、(6) 第３光学系により出力各波長の光を入力し、これら各波長の光を同一方向の光路へ出力する第２波長分岐素子と、(7) 第２波長分岐素子から出力された各波長の光を入力し、複数のポートに含まれる第２群のポートの何れかから各波長の光を出力する第４光学系と、を備えることを特徴とする。この光合分波器において、第１波長分岐素子および第２波長分岐素子の双方または何れか一方が回折格子素子を含むのが好適である。
【０００７】
この光合分波器では、複数のポートのうちの第１群のポートの何れかに入力した光は、第１光学系により出力され、第１波長分岐素子により空間的に波長分岐されて、波長によって異なる光路を進み、第２光学系により集光される。第２光学系により集光された各波長の光の集光位置へ反射部が挿入されているときには、第２光学系により集光された各波長の光は、反射部の第１反射面により第２光学系へ反射され、第２光学系、第１波長分岐素子および第１光学系を経て、第１群のポートの何れかから出力される。一方、第２光学系により集光された各波長の光の集光位置から反射部が待避されているときには、第２光学系により集光された各波長の光は、反射部により反射されることなく、第３光学系により出力され、第２波長分岐素子により合波され、第４光学系により集光されて、複数のポートのうちの第２群のポートの何れかから出力される。
【０００８】
また、この光合分波器において、反射部が、第３光学系に対向可能な第２反射面を有し、挿入されているときに第３光学系から第２反射面に入射した光を第３光学系へ反射させて第２群のポートの何れかから出力させるのが好適である。この場合には、第２群のポートの何れかに入力した光は、反射部の第２反射面により反射されると、第２群のポートの何れかから出力され得る。
【０００９】
また、この光合分波器は、反射部に隣接して設けられ、反射部が待避されているときに集光位置に挿入される透過部を更に備え、第２光学系および第３光学系それぞれの光軸方向についての反射部の第１反射面と第２反射面との間の距離が光軸方向についての透過部の厚さより小さいのが好適である。第１または第２反射面が、透明部材の一方の面の一部に形成された反射膜であり、透過部が、透明部材のうち反射膜が形成されていない部分であるのが好適である。また、反射膜の膜厚が０.５μｍ以下であるのが好適である。
【００１０】
また、この光合分波器において、反射部の第１反射面が複数の部分反射部を有するのが好適であり、反射部の第２反射面が複数の部分反射部を有するのが好適である。
【００１１】
本発明に係る光デバイスは、(1) 上記の本発明に係る光合分波器と、(2) 光合分波器の第１群のポートの何れかに接続された第１光パワー分岐素子および第１波長可変フィルタと、(3) 光合分波器の第２群のポートの何れかに接続された第２光パワー分岐素子および第２波長可変フィルタと、を備えることを特徴とする。また、本発明に係る光伝送システムは、上記の本発明に係る光デバイスを備え、多波長の信号光を伝送するとともに、その多波長の信号光を光デバイスにより処理することを特徴とする。
【００１２】
本発明に係る光合分波器は、複数のポートのうちの何れかのポートに光を入力し、その光に含まれる各波長の光を複数のポートのうちの何れかのポートから出力する光合分波器であって、(1) 複数のポートの何れかに光が入力したときに、その光を出力する第１光学系と、(2) 第１光学系により出力光を入力し、その光に含まれる各波長の光を空間的に分岐して、その分岐した各波長の光を互いに異なる光路へ出力する波長分岐素子と、(3) 波長分岐素子から出力された各波長の光を集光する第２光学系と、(4) 第２光学系により集光された各波長の光の集光位置に設けられ、複数の部分反射部を有し、これら複数の部分反射部の何れかに入射した光を第２光学系へ反射させて複数のポートの何れかから出力させる反射部と、を備えることを特徴とする。ここで、波長分岐素子が回折格子素子を含むのが好適である。
【００１３】
この光合分波器では、複数のポートのうちの何れかに入力した光は、第１光学系により出力され、波長分岐素子により空間的に波長分岐されて、波長によって異なる光路を進み、第２光学系により集光される。第２光学系により集光された各波長の光は、その集光位置に配置されている反射部の何れかの部分反射部により第２光学系へ反射され、第２光学系、第１波長分岐素子および第１光学系を経て、複数のポートのうち何れかから出力される。
【発明の効果】
【００１４】
本発明によれば、入出力ポートを容易かつ高精度に選択することができる。
【発明を実施するための最良の形態】
【００１５】
以下、添付図面を参照して、本発明を実施するための最良の形態を詳細に説明する。なお、図面の説明において同一または同様の要素には同一の符号を付し、重複する説明を省略する。また、各図には説明の便宜のためにｘｙｚ（ｘｙ'ｚ'，ｘｙ"ｚ"）直交座標系が示されている。
【００１６】
（第１実施形態）
先ず、本発明に係る光合分波器の第１実施形態について説明する。図１は、第１実施形態に係る光合分波器１の構成図である。この図に示される光合分波器１は、光ファイバ１１，１２と光ファイバ２１，２２との間に、光学系１１１、回折格子素子１２１、光学系１１２、反射部１３１〜１３３、光学系１１３、回折格子素子１２２および光学系１１４を備える。この光合分波器１は、光ファイバ１１，１２，２１，２２それぞれの端面位置に入出力ポートを有していて、これら４つのポートのうちの何れかのポートに光を入力し、その光に含まれる各波長の光を４つのポートのうちの何れかのポートから出力する。
【００１７】
光ファイバ１１，１２と回折格子素子１２１との間では、ｘｙｚ直交座標系を設定し、光学系１１１の光軸に平行にｚ軸を設定する。回折格子素子１２１と回折格子素子１２２との間では、ｘｙ'ｚ'直交座標系を設定し、光学系１１２，１１３それぞれの光軸に平行にｚ'軸を設定する。回折格子素子１２２と光ファイバ２１，２２との間では、ｘｙ"ｚ"直交座標系を設定し、光学系１１４の光軸に平行にｚ"軸を設定する。また、回折格子素子１２１および回折格子素子１２２それぞれにおける各格子が延びる方向は互いに同じであって、その方向に平行にｘ軸を設定する。
【００１８】
図１（ａ）は、ｙｚ（ｙ'ｚ'，ｙ"ｚ"）平面への投影図である。図１（ｂ）は、光ファイバ１１，１２と回折格子素子１２１との間ではｘｚ平面への投影図であり、回折格子素子１２１と回折格子素子１２２との間ではｘｚ'平面への投影図であり、回折格子素子１２２と光ファイバ２１，２２との間ではｘｚ"平面への投影図である。
【００１９】
光ファイバ１１，１２は、ｙｚ平面に平行な共通の平面上に並列配置されている。また、光ファイバ２１，２２は、ｙ"ｚ"平面に平行な共通の平面上に並列配置されている。
【００２０】
光学系１１１は、光ファイバ１１，１２のうちの何れかの端面から光が出射されると、その光を入力しコリメートして出力する。このとき光学系１１１によりコリメートされて出力された光はｚ軸方向に平行に進む。
【００２１】
回折格子素子１２１は、波長分岐素子として作用し、光学系１１１によりコリメートされた光を入力し、その光に含まれる各波長（本実施形態では３波長λ１〜λ３）の光を空間的に分岐して、その分岐した各波長の光を互いに異なる光路へ出力する。この回折格子素子１２１の各格子がｘ軸方向に延びており、このとき回折格子素子１２１から出力された各波長の光は、ｙ'ｚ'平面に平行であって互いに異なる方向に進む。
【００２２】
光学系１１２は、回折格子素子１２１から出力された各波長の光を集光する。このとき光学系１１２から集光されて出力された各波長の光は、ｙ'ｚ'平面に平行であって互いに平行な方向に進む。また、各波長の光の集光位置は、ｙ'軸方向に平行な直線上に並ぶ。
【００２３】
反射部１３１〜１３３それぞれは、光学系１１２に対向可能な第１反射面を有する。反射部１３１は、光学系１１２により集光された波長λ１の光の集光位置への挿入および待避が自在であり、挿入されているときに光学系１１２から第１反射面に入射した波長λ１の光を光学系１１２へ反射させる。反射部１３２は、光学系１１２により集光された波長λ２の光の集光位置への挿入および待避が自在であり、挿入されているときに光学系１１２から第１反射面に入射した波長λ２の光を光学系１１２へ反射させる。また、反射部１３３は、光学系１１２により集光された波長λ３の光の集光位置への挿入および待避が自在であり、挿入されているときに光学系１１２から第１反射面に入射した波長λ２の光を光学系１１２へ反射させる。このとき反射部１３１〜１３３のうちの何れかで反射された光は、ｙ'ｚ'平面またはｙｚ平面に平行に進み、光学系１１２、回折格子素子１２１および光学系１１１を経て出力され、光ファイバ１１，１２のうちの何れかの端面に入射する。
【００２４】
光学系１１３は、反射部１３１〜１３３のうちの何れかが待避されているときに光学系１１２により集光され集光位置を経て発散する光を入力し、その光をコリメートして出力する。このとき光学系１１３によりコリメートされて出力される光はｙ'ｚ'平面に平行に進む。
【００２５】
回折格子素子１２２は、光学系１１３によりコリメートされた各波長の光を入力し、これら各波長の光を同一方向の光路へ出力する。この回折格子素子１２２の各格子がｘ軸方向に延びており、このとき回折格子素子１２２から出力された各波長の光はｚ"軸方向に平行に進む。
【００２６】
光学系１１４は、回折格子素子１２２から出力された各波長の光を入力し、光ファイバ２１，２２のうちの何れかの端面に光を入射させる。このとき光学系１１４から出力された各波長の光はｚ"軸方向に平行に進む。
【００２７】
以上の説明では、光合分波器１の構成を説明するに際して、光ファイバ１１，１２のうちの何れかの端面から光が出射される光を入力する場合について説明した。しかし、この光合分波器１は、光ファイバ２１，２２のうちの何れかの端面から光が出射される光を入力する場合も同様である。この場合には、反射部１３１〜１３３それぞれは、光学系１１３に対向可能な第２反射面を有し、挿入されているときに光学系１１３から第２反射面に入射した光を光学系１１３へ反射させて光ファイバ２１，２２のうちの何れかの端面に入射させる。
【００２８】
図１（ａ），（ｂ）に示されているように、反射部１３１〜１３３の何れもが集光位置からｘ軸方向に待避されているときに、光ファイバ１１の端面から出射された波長λ１〜λ３それぞれの光は、光学系１１１によりコリメートされ、回折格子素子１２１により波長分岐され、光学系１１２により集光される。光学系１１２により集光された各波長の光は、集光位置を経た後に発散し、光学系１１３によりコリメートされ、回折格子素子１２２により合波され、光学系１１４により集光されて光ファイバ２２の端面に入射する。すなわち、光ファイバ１１の端面から出射された波長λ１〜λ３それぞれの光は、光ファイバ２２の端面に入射する。
【００２９】
図２は、第１実施形態に係る光合分波器１の動作を説明する図である。この図では、反射部１３１は波長λ１の集光位置から待避され、反射部１３２は波長λ２の集光位置に挿入され、反射部１３３は波長λ３の集光位置に挿入されている。同図（ａ），（ｂ）は、ｙｚ（ｙ'ｚ'，ｙ"ｚ"）平面への投影図である。同図（ｃ）は、光ファイバ１１，１２と回折格子素子１２１との間ではｘｚ平面への投影図であり、回折格子素子１２１と回折格子素子１２２との間ではｘｚ'平面への投影図であり、回折格子素子１２２と光ファイバ２１，２２との間ではｘｚ"平面への投影図である。
【００３０】
図２（ａ），（ｃ）に示されているように、光ファイバ１１の端面から出射された波長λ１〜λ３それぞれの光は、光学系１１１によりコリメートされ、回折格子素子１２１により波長分岐され、光学系１１２により集光される。光学系１１２により集光された波長λ１の光は、集光位置を経た後に発散し、光学系１１３によりコリメートされ、回折格子素子１２２を経て、光学系１１４により集光されて光ファイバ２２の端面に入射する。光学系１１２により集光された波長λ２，λ３の光は、集光位置に挿入された反射部１３２，１３３の第１反射面により反射され、光学系１１２によりコリメートされ、回折格子素子１２１を経て、光学系１１１により集光されて光ファイバ１２の端面に入射する。
【００３１】
また、図２（ｂ），（ｃ）に示されているように、光ファイバ２１の端面から波長λ２，λ３の光が出射されると、これら波長λ２，λ３の光は、光学系１１４によりコリメートされ、回折格子素子１２２により波長分岐され、光学系１１３により集光される。光学系１１３により集光された波長λ２，λ３の光は、集光位置に挿入された反射部１３２，１３３の第２反射面により反射され、光学系１１３によりコリメートされ、回折格子素子１２２を経て、光学系１１４により集光されて光ファイバ２２の端面に入射する。
【００３２】
すなわち、光ファイバ１１の端面から出射された波長λ１〜λ３の光は分波されて、そのうち波長λ１の光は光ファイバ２２の端面に入射し、波長λ２，λ３の光は光ファイバ１２の端面に入射する。また、光ファイバ２１の端面から出射された波長λ２，λ３の光は、光ファイバ１１の端面から出射された波長λ１の光と合波されて、光ファイバ２２の端面に入射する。このように、光合分波器１は、合波および分波の双方を行うことができるＡＤＭ（Add-Drop Multiplexer）として動作し得る。
【００３３】
この光合分波器１では、反射部１３１〜１３３の第１反射面の面積を、光学系１１２による各波長の光の集光径と比べて十分に大きくすることができ、また、反射部１３１〜１３３の第２反射面の面積を、光学系１１３による各波長の光の集光径と比べて十分に大きくすることができる。したがって、反射部１３１〜１３３それぞれを集光位置へ挿入する際に、その挿入位置の精度が高いことは要求されないので、入出力ポートを容易かつ高精度に選択することができる。
【００３４】
なお、反射部１３１〜１３３それぞれを集光位置に挿入する際に、反射部１３１〜１３３それぞれの反射面が集光位置からｚ'軸方向にずれることも有り得る。この場合には、光が入力ポートから出力ポートへ至る間に被る損失は、大きくなり、或いは、波長間でばらつくことも有り得る。このことが問題となるようなシステムにおいて光合分波器１を用いる場合には、反射部１３１〜１３３それぞれをｚ'軸方向の位置も制御できるようにすればよい。
【００３５】
また、反射部１３１〜１３３が挿入されているときには、光学系１１２による集光位置に第１反射面が存在し、光学系１１３による集光位置に第３反射面が存在することが望ましい。しかし、その場合には、光学系１１２による集光位置と光学系１１３による集光位置とが互いに異なることになり、反射部１３１〜１３３が待避されているときには、光学系１１２により集光され集光位置を経て発散する光は、光学系１１３により充分にはコリメートされない。そこで、図３または図４に示されるように、反射部に隣接して透過部を設けるようにすればよい。
【００３６】
図３は、反射部１３１および透過部１３１の第１例の構成を示す図である。この図に示される構成では、反射部１３１に隣接して透過部１４１が設けられ、反射部１３１が集光位置から待避されているときに透過部１４１が集光位置に挿入される。また、ｚ'軸方向についての反射部１３１の第１反射面１３１ａと第２反射面１３１ｂとの間の距離ｗ１は、ｚ'軸方向についての透過部１４１の厚さｗ２より小さい。反射部１３２，１３３それぞれについても同様である。
【００３７】
このようにしておくことにより、反射部１３１の挿入時に、光学系１１２による集光位置に第１反射面１３１ａが存在するようにし、且つ、光学系１１３による集光位置に第３反射面１３１ｂが存在するようにした場合にも、反射部１３１の待避時（すなわち、透過部１４１の挿入時）に、光学系１１２による集光位置と光学系１１３による集光位置とは、透過部１４１の内部の共通位置に一致することができる。
【００３８】
図３に示されるように、反射部１３１の第１反射面１３１ａが入射光の主光線に対し垂直であって、透過部１４１の光入射面も入射光の主光線に対し垂直であるとして、反射部１３１または透過部１４１へ入射する或る光線の入射角をθ１とし、その光線の透過部１４１での屈折角をθ２とする。反射部１３１および透過部１４１の周囲の媒質（一般には空気）の屈折率をｎ１とし、透過部１４１の媒質の屈折率をｎ２とする。このとき、これらのパラメータの間には下記(1)式の関係がある。
【００３９】
【数１】
2005308867.tif 000003
集光位置のずれを効果的に補正するためには、第１反射面１３１ａと第２反射面１３１ｂとの間の距離ｗ１と、透過部１４１の厚さｗ２との間には、下記(2)式の関係があることが必要である。
【００４０】
【数２】
2005308867.tif 000004
入射角θ１および屈折角θ２それぞれが充分に小さい範囲では、下記(3)式の関係があるので、上記(1)式および上記(2)式から、下記(4)式の近似式が導かれる。
【００４１】
【数３】
2005308867.tif 000005
【００４２】
【数４】
2005308867.tif 000006
この(4)式が成り立つように、反射部１３１の第１反射面１３１ａと第２反射面１３１ｂとの間の距離ｗ１，透過部１４１の厚さｗ２および透過部１４１の屈折率ｎ２を選択すればよい。
【００４３】
図４は、反射部１３１および透過部１３１の第２例の構成を示す図である。この図に示される構成では、反射部１３１が、透明部材１５１の一方の面の一部に形成された反射膜であり、透過部１４１が、透明部材１５１のうち反射膜が形成されていない部分である。反射膜１３１の膜厚が０.５μｍ以下であるのが好適である。反射部１３２，１３３それぞれについても同様である。反射部１３１としての反射膜は、例えば金蒸着により作成され、その膜厚がサブμｍであり、集光位置のずれに与える影響が非常に小さい。このようにすることにより、屈折率や厚みを選択する必要がなくなるので、図３に示される構成と比較して構成が容易である。
【００４４】
反射部１３１および透過部１４１は、ＭＥＭＳ技術を用いてＳｉをベースとして作成することが可能である。この場合には、透過部材１５１をＳｉとすることができ、反射部１３１および透過部１４１だけでなく駆動部をも同一の半導体製造プロセスで形成することができる。
【００４５】
また、特許文献１に開示された光合分波器では、本実施形態における光学系１１１に相当する光学系を入出力ポート数だけ直列配置する必要があるので、これら全体の光学系が大きなものとなる。また、特許文献１に開示された光合分波器では、本実施形態における光学系１１２に相当する光学系の必要有効径や開口数が大きくなり、全体の光学系に含まれるレンズの枚数が多く、各レンズの加工精度が高いことが要求され、高価なものとなる。これに対して、本実施形態に係る光合分波器１では、光学系１１２，１１３の有効径や開口数は半分で済み、また、光学系１１２と光学系１１３とは互いの共通の構成とすることができるので、安価なものとすることができる。
【００４６】
（第２実施形態）
次に、本発明に係る光合分波器の第２実施形態について説明する。図５は、第２実施形態に係る光合分波器２の構成図である。この図に示される光合分波器２は、光ファイバ１１，１２と光ファイバ２１，２２との間に、光学系１１１、回折格子素子１２１、光学系１１２、反射部１３１〜１３３、光学系１１３、回折格子素子１２２および光学系１１４を備える。この光合分波器２は、光ファイバ１１，１２，２１，２２それぞれの端面位置に入出力ポートを有していて、これら４つのポートのうちの何れかのポートに光を入力し、その光に含まれる各波長の光を４つのポートのうちの何れかのポートから出力する。
【００４７】
光ファイバ１１，１２と回折格子素子１２１との間では、ｘｙｚ直交座標系を設定し、光学系１１１の光軸に平行にｚ軸を設定する。回折格子素子１２１と回折格子素子１２２との間では、ｘｙ'ｚ'直交座標系を設定し、光学系１１２，１１３それぞれの光軸に平行にｚ'軸を設定する。回折格子素子１２２と光ファイバ２１，２２との間では、ｘｙ"ｚ"直交座標系を設定し、光学系１１４の光軸に平行にｚ"軸を設定する。また、回折格子素子１２１および回折格子素子１２２それぞれにおける各格子が延びる方向は互いに同じであって、その方向に平行にｘ軸を設定する。
【００４８】
図５（ａ）は、ｙｚ（ｙ'ｚ'，ｙ"ｚ"）平面への投影図である。図５（ｂ）は、光ファイバ１１，１２と回折格子素子１２１との間ではｘｚ平面への投影図であり、回折格子素子１２１と回折格子素子１２２との間ではｘｚ'平面への投影図であり、回折格子素子１２２と光ファイバ２１，２２との間ではｘｚ"平面への投影図である。
【００４９】
光ファイバ１１，１２は、ｘｚ平面に平行な共通の平面上に並列配置されている。また、光ファイバ２１，２２は、ｘ"ｚ"平面に平行な共通の平面上に並列配置されている。この点で、第１実施形態の場合と相違する。
【００５０】
光学系１１１は、光ファイバ１１，１２のうちの何れかの端面から光が出射されると、その光を入力しコリメートして出力する。このとき光学系１１１によりコリメートされて出力された光はｚ軸方向に平行に進む。
【００５１】
回折格子素子１２１は、波長分岐素子として作用し、光学系１１１によりコリメートされた光を入力し、その光に含まれる各波長（本実施形態では３波長λ１〜λ３）の光を空間的に分岐して、その分岐した各波長の光を互いに異なる光路へ出力する。この回折格子素子１２１の各格子がｘ軸方向に延びており、このとき回折格子素子１２１から出力された各波長の光は、ｙ'ｚ'平面に平行であって互いに異なる方向に進む。
【００５２】
光学系１１２は、回折格子素子１２１から出力された各波長の光を集光する。このとき光学系１１２から集光されて出力された各波長の光は、ｘｚ'平面に平行であって互いに平行な方向に進む。また、各波長の光の集光位置は、ｙ'軸方向に平行な直線上に並ぶ。
【００５３】
反射部１３１〜１３３それぞれは、光学系１１２に対向可能な第１反射面を有する。反射部１３１は、光学系１１２により集光された波長λ１の光の集光位置への挿入および待避が自在であり、挿入されているときに光学系１１２から第１反射面に入射した波長λ１の光を光学系１１２へ反射させる。反射部１３２は、光学系１１２により集光された波長λ２の光の集光位置への挿入および待避が自在であり、挿入されているときに光学系１１２から第１反射面に入射した波長λ２の光を光学系１１２へ反射させる。また、反射部１３３は、光学系１１２により集光された波長λ３の光の集光位置への挿入および待避が自在であり、挿入されているときに光学系１１２から第１反射面に入射した波長λ２の光を光学系１１２へ反射させる。このとき反射部１３１〜１３３のうちの何れかで反射された光は、ｘｚ'平面またはｘｚ平面に平行に進み、光学系１１２、回折格子素子１２１および光学系１１１を経て出力され、光ファイバ１１，１２のうちの何れかの端面に入射する。
【００５４】
光学系１１３は、反射部１３１〜１３３のうちの何れかが待避されているときに光学系１１２により集光され集光位置を経て発散する光を入力し、その光をコリメートして出力する。このとき光学系１１３によりコリメートされて出力される光はｙ'ｚ'平面に平行に進む。
【００５５】
回折格子素子１２２は、光学系１１３によりコリメートされた各波長の光を入力し、これら各波長の光を同一方向の光路へ出力する。この回折格子素子１２２の各格子がｘ軸方向に延びており、このとき回折格子素子１２２から出力された各波長の光はｚ"軸方向に平行に進む。
【００５６】
光学系１１４は、回折格子素子１２２から出力された各波長の光を入力し、光ファイバ２１，２２のうちの何れかの端面に光を入射させる。このとき光学系１１４から出力された各波長の光はｚ"軸方向に平行に進む。
【００５７】
反射部１３１は波長λ１の集光位置から待避され、反射部１３２は波長λ２の集光位置に挿入され、反射部１３３は波長λ３の集光位置に挿入されているとする。このとき、光ファイバ１１の端面から出射された波長λ１〜λ３それぞれの光は、光学系１１１によりコリメートされ、回折格子素子１２１により波長分岐され、光学系１１２により集光される。光学系１１２により集光された波長λ１の光は、集光位置を経た後に発散し、光学系１１３によりコリメートされ、回折格子素子１２２を経て、光学系１１４により集光されて光ファイバ２２の端面に入射する。光学系１１２により集光された波長λ２，λ３の光は、集光位置に挿入された反射部１３２，１３３の第１反射面により反射され、光学系１１２によりコリメートされ、回折格子素子１２１を経て、光学系１１１により集光されて光ファイバ１２の端面に入射する。
【００５８】
また、光ファイバ２１の端面から波長λ２，λ３の光が出射されると、これら波長λ２，λ３の光は、光学系１１４によりコリメートされ、回折格子素子１２２により波長分岐され、光学系１１３により集光される。光学系１１３により集光された波長λ２，λ３の光は、集光位置に挿入された反射部１３２，１３３の第２反射面により反射され、光学系１１３によりコリメートされ、回折格子素子１２２を経て、光学系１１４により集光されて光ファイバ２２の端面に入射する。
【００５９】
すなわち、光ファイバ１１の端面から出射された波長λ１〜λ３の光は分波されて、そのうち波長λ１の光は光ファイバ２２の端面に入射し、波長λ２，λ３の光は光ファイバ１２の端面に入射する。また、光ファイバ２１の端面から出射された波長λ２，λ３の光は、光ファイバ１１の端面から出射された波長λ１の光と合波されて、光ファイバ２２の端面に入射する。このように、光合分波器２は、合波および分波の双方を行うことができるＡＤＭとして動作し得る。
【００６０】
以上のように、この光合分波器２は、前述の第１実施形態に係る光合分波器１と同様に動作し同様の効果を奏することができる。
【００６１】
（第３実施形態）
次に、本発明に係る光合分波器の第３実施形態について説明する。図６は、第３実施形態に係る光合分波器３の構成図である。この図に示される光合分波器３は、光ファイバ１１〜１３と光ファイバ２１〜２３との間に、光学系１１１、回折格子素子１２１、光学系１１２、反射部１３１〜１３３、光学系１１３、回折格子素子１２２および光学系１１４を備える。この光合分波器３は、光ファイバ１１〜１３，２１〜２３それぞれの端面位置に入出力ポートを有していて、これら６つのポートのうちの何れかのポートに光を入力し、その光に含まれる各波長の光を６つのポートのうちの何れかのポートから出力する。
【００６２】
光ファイバ１１〜１３は、ｙｚ平面に平行な共通の平面上に、この順に並列配置されている。また、光ファイバ２１〜２３は、ｙ"ｚ"平面に平行な共通の平面上に、この順に並列配置されている。
【００６３】
前述の第１実施形態に係る光合分波器１と比較すると、この図に示される第３実施形態に係る光合分波器３は、光学系１１１の側に３本の光ファイバ１１〜１３が設けられている点、光学系１１４の側に３本の光ファイバ２１〜２３が設けられている点、ならびに、反射部１３１〜１３３それぞれの第１反射面および第２反射面が各々平面状の２つの部分反射部を有する点、で相違する。
【００６４】
反射部１３１の第１反射面（光学系１１２に対向可能な反射面）の２つの部分反射部のうち、一方の部分反射部は、光ファイバ１２の端面から出射された波長λ１の光が光学径１１１，回折格子素子１２１および光学系１１２を経て入射したときに、その波長λ１の光を反射させて、その反射光を光ファイバ１１の端面に入射させ、また、他方の部分反射部は、光ファイバ１２の端面から出射された波長λ１の光が光学径１１１，回折格子素子１２１および光学系１１２を経て入射したときに、その波長λ１の光を反射させて、その反射光を光ファイバ１３の端面に入射させる。
【００６５】
反射部１３１の第２反射面（光学系１１３に対向可能な反射面）の２つの部分反射部のうち、一方の部分反射部は、光ファイバ２２の端面から出射された波長λ１の光が光学径１１４，回折格子素子１２２および光学系１１３を経て入射したときに、その波長λ１の光を反射させて、その反射光を光ファイバ２３の端面に入射させ、また、他方の部分反射部は、光ファイバ２２の端面から出射された波長λ１の光が光学径１１４，回折格子素子１２２および光学系１１３を経て入射したときに、その波長λ１の光を反射させて、その反射光を光ファイバ２１の端面に入射させる。
【００６６】
反射部１３２の第１反射面および第２反射面それぞれの２つの部分反射部は、波長λ２の光について上記の反射部１３１の場合と同様である。また、反射部１３３の第１反射面および第２反射面それぞれの２つの部分反射部は、波長λ３の光について上記の反射部１３１の場合と同様である。
【００６７】
図６（ａ），（ｂ）に示されているように、反射部１３１〜１３３の何れもが集光位置からｘ軸方向に待避されているときに、光ファイバ１２の端面から出射された波長λ１〜λ３それぞれの光は、光学系１１１によりコリメートされ、回折格子素子１２１により波長分岐され、光学系１１２により集光される。光学系１１２により集光された各波長の光は、集光位置を経た後に発散し、光学系１１３によりコリメートされ、回折格子素子１２２により合波され、光学系１１４により集光されて光ファイバ２２の端面に入射する。すなわち、光ファイバ１２の端面から出射された波長λ１〜λ３それぞれの光は、光ファイバ２２の端面に入射する。
【００６８】
図７は、第３実施形態に係る光合分波器３の動作を説明する図である。この図では、反射部１３１，１３２は集光位置から待避されている。また、反射部１３３は、集光位置に挿入されていいて、光ファイバ１２から到達した光を光ファイバ１１へ反射させることできるように第１反射面の一方の部分反射部が集光位置にある。同図は、光ファイバ１１〜１３と回折格子素子１２１との間ではｘｚ平面への投影図であり、回折格子素子１２１と回折格子素子１２２との間ではｘｚ'平面への投影図であり、回折格子素子１２２と光ファイバ２１〜２３との間ではｘｚ"平面への投影図である。
【００６９】
図７に示されているように、光ファイバ１２の端面から出射された波長λ１〜λ３それぞれの光は、光学系１１１によりコリメートされ、回折格子素子１２１により波長分岐され、光学系１１２により集光される。光学系１１２により集光された波長λ１，λ２の光は、集光位置を経た後に発散し、光学系１１３によりコリメートされ、回折格子素子１２２を経て、光学系１１４により集光されて光ファイバ２２の端面に入射する。光学系１１２により集光された波長λ３の光は、集光位置に挿入された反射部１３３の第１反射面の一方の部分反射部により反射され、光学系１１２によりコリメートされ、回折格子素子１２１を経て、光学系１１１により集光されて光ファイバ１１の端面に入射する。
【００７０】
また、光ファイバ２３の端面から波長λ３の光が出射されると、この波長λ３の光は、光学系１１４によりコリメートされ、回折格子素子１２２により回折され、光学系１１３により集光される。光学系１１３により集光された波長λ３の光は、集光位置に挿入された反射部１３３の第２反射面の一方の部分反射部により反射され、光学系１１３によりコリメートされ、回折格子素子１２２を経て、光学系１１４により集光されて光ファイバ２２の端面に入射する。
【００７１】
図８は、第３実施形態に係る光合分波器３の他の動作を説明する図である。この図８では、反射部１３２は、集光位置に挿入されていいて、光ファイバ１２から到達した波長λ２の光を光ファイバ１３へ反射させることできるように第１反射面の一方の部分反射部が集光位置にあり、この点で、前述の図７に示された場合と相違する。
【００７２】
この場合、光ファイバ１２の端面から出射された波長λ２の光は、光学系１１１，回折格子素子１２１および光学系１１２を経て、集光位置に挿入された反射部１３２の第１反射面の一方の部分反射部により反射され、光学系１１２，回折格子素子１２１および光学系１１１を経て、光ファイバ１３の端面に入射する。また、光ファイバ２１の端面から波長λ２の光が出射されると、この波長λ２の光は、光学系１１４，回折格子素子１２２および光学系１１３を経て、集光位置に挿入された反射部１３２の第２反射面の一方の部分反射部により反射され、光学系１１３，回折格子素子１２２および光学系１１３を経て、光ファイバ２２の端面に入射する。
【００７３】
このように、本実施形態に係る光合分波器３も、合波および分波の双方を行うことができるＡＤＭとして動作し、また、入出力ポートが可変である。
【００７４】
（第４実施形態）
次に、本発明に係る光合分波器の第４実施形態について説明する。図９は、第４実施形態に係る光合分波器４の構成図である。前述の第３実施形態に係る光合分波器３と比較すると、この図に示される第４実施形態に係る光合分波器４は、反射部１３１〜１３３に加えて反射部１３４〜１３６を更に備える点で相違する。
【００７５】
反射部１３１〜１３３それぞれは、第３実施形態の場合と同様に、光学系１１２に対向可能な反射面が各々平面状の２つの部分反射部を有している。反射部１３４〜１３６それぞれは、光学系１１３に対向可能な反射面が平面状の１つの反射部となっている。６つの反射部１３１〜１３６それぞれは独立に移動し得る。
【００７６】
反射部１３１は、光学系１１２から到達した波長λ１の光を光学系１１２へ反射させる。反射部１３２は、光学系１１２から到達した波長λ２の光を光学系１１２へ反射させる。反射部１３３は、光学系１１２から到達した波長λ３の光を光学系１１２へ反射させる。反射部１３４は、光学系１１３から到達した波長λ１の光を光学系１１３へ反射させる。反射部１３５は、光学系１１３から到達した波長λ２の光を光学系１１３へ反射させる。また、反射部１３６は、光学系１１３から到達した波長λ３の光を光学系１１３へ反射させる。
【００７７】
この図に示されているように、反射部１３１，１３２，１３４，１３５それぞれが集光位置から待避され、反射部１３３の反射面の一方の部分反射部が波長λ３の光の集光位置に挿入され、反射部１３６が波長λ３の光の集光位置に挿入されているとする。
【００７８】
このとき、光ファイバ１２の端面から出射された波長λ１〜λ３それぞれの光は、光学系１１１によりコリメートされ、回折格子素子１２１により波長分岐され、光学系１１２により集光される。光学系１１２により集光された波長λ１，λ２の光は、集光位置を経た後に発散し、光学系１１３によりコリメートされ、回折格子素子１２２を経て、光学系１１４により集光されて光ファイバ２２の端面に入射する。光学系１１２により集光された波長λ３の光は、集光位置に挿入された反射部１３３の第１反射面の一方の部分反射部により反射され、光学系１１２によりコリメートされ、回折格子素子１２１を経て、光学系１１１により集光されて光ファイバ１１の端面に入射する。
【００７９】
また、光ファイバ２３の端面から波長λ３の光が出射されると、この波長λ３の光は、光学系１１４によりコリメートされ、回折格子素子１２２により回折され、光学系１１３により集光される。光学系１１３により集光された波長λ３の光は、集光位置に挿入された反射部１３６により反射され、光学系１１３によりコリメートされ、回折格子素子１２２を経て、光学系１１４により集光されて光ファイバ２１の端面に入射する。
【００８０】
このように、本実施形態に係る光合分波器４も、前述の第３実施形態に係る光合分波器３と同様に動作し同様の効果を奏することができる。また、この光合分波器４を用いることにより、よりフレキシブルなネットワーク構成が可能となる。
【００８１】
（第５実施形態）
次に、本発明に係る光合分波器の第５実施形態について説明する。図１０は、第５実施形態に係る光合分波器５の構成図である。この図に示される光合分波器５は、光ファイバ３１〜３６、光学系１１１、回折格子素子１２１、光学系１１２および反射部１３１〜１３３を備える。この光合分波器５は、光ファイバ３１〜３６それぞれの端面位置に入出力ポートを有していて、これら６つのポートのうちの何れかのポートに光を入力し、その光に含まれる各波長の光を６つのポートのうちの何れかのポートから出力する。
【００８２】
光ファイバ３１〜３６と回折格子素子１２１との間では、ｘｙｚ直交座標系を設定し、光学系１１１の光軸に平行にｚ軸を設定する。回折格子素子１２１と反射部１３１〜１３３との間では、ｘｙ'ｚ'直交座標系を設定し、光学系１１２の光軸に平行にｚ'軸を設定する。また、回折格子素子１２１における各格子が延びる方向は互いに同じであって、その方向に平行にｘ軸を設定する。
【００８３】
この図は、光ファイバ３１〜３６と回折格子素子１２１との間ではｘｚ平面への投影図であり、回折格子素子１２１と反射部１３１〜１３３との間ではｘｚ'平面への投影図である。光ファイバ３１〜３６は、ｘｚ平面に平行な共通の平面上に並列配置されている。
【００８４】
光学系１１１は、光ファイバ３１〜３６のうちの何れかの端面から光が出射されると、その光を入力しコリメートして出力する。このとき光学系１１１によりコリメートされて出力された光はｚ軸方向に平行に進む。
【００８５】
回折格子素子１２１は、波長分岐素子として作用し、光学系１１１によりコリメートされた光を入力し、その光に含まれる各波長の光を空間的に分岐して、その分岐した各波長の光を互いに異なる光路へ出力する。この回折格子素子１２１の各格子がｘ軸方向に延びており、このとき回折格子素子１２１から出力された各波長の光は、ｙ'ｚ'平面に平行であって互いに異なる方向に進む。
【００８６】
光学系１１２は、回折格子素子１２１から出力された各波長の光を集光する。このとき光学系１１２から集光されて出力された各波長の光は、ｙ'ｚ'平面に平行であって互いに平行な方向に進む。また、各波長の光の集光位置は、ｙ'軸方向に平行な直線上に並ぶ。
【００８７】
反射部１３１〜１３３それぞれは、各々平面状の３つの部分反射部を有しており、光学系１１２により集光された各波長の光の集光位置に設けられ、ｘ軸方向に移動可能である。反射部１３１〜１３３それぞれは、そのｘ軸方向の位置に応じて、３つの部分反射部の何れかに光を入射して、その光を光学系１１２へ反射させ６つのポートの何れかから出力させる。
【００８８】
例えば、光ファイバ３３の端面から出射された波長λ１の光は、光学系１１１、回折格子素子１２１および光学系１１２を経て、反射部１３１のｘｙ'平面に平行な部分反射面（Ｂ面）で反射されると、光学系１１２、回折格子素子１２１および光学系１１１を経て、光ファイバ３４の端面に入射する。光ファイバ３３の端面から出射された波長λ１の光は、光学系１１１、回折格子素子１２１および光学系１１２を経て、反射部１３１のｘｙ'平面に対して傾斜している部分反射面（Ａ面）で反射されると、光学系１１２、回折格子素子１２１および光学系１１１を経て、光ファイバ３６の端面に入射する。また、光ファイバ３３の端面から出射された波長λ１の光は、光学系１１１、回折格子素子１２１および光学系１１２を経て、反射部１３１のｘｙ'平面に対して逆方向に傾斜している部分反射面（Ｃ面）で反射されると、光学系１１２、回折格子素子１２１および光学系１１１を経て、光ファイバ３２の端面に入射する。
【００８９】
このように、本実施形態に係る光合分波器５も、前述の第３実施形態に係る光合分波器４と同様に動作し同様の効果を奏することができる。また、この光合分波器４を用いることにより、よりフレキシブルなネットワーク構成が可能となる。
【００９０】
（光デバイスの実施形態）
次に、本発明に係る光デバイスの実施形態について説明する。図１１は、本実施形態に係る光デバイス９の構成図である。この図に示される光デバイス９は、前述の第１実施形態に係る光合分波器１を備え、更に、光合分波器１の１つの入出力ポートに光ファイバ１２を介して接続された光パワー分岐素子３１および波長可変フィルタ３２ａ〜３２ｄと、光合分波器１の他の１つの入出力ポートに光ファイバ２１を介して接続された光パワー分岐素子４１および波長可変フィルタ４２ａ〜４２ｄと、を備える。
【００９１】
このように構成される光デバイス９において、例えば、光合分波器１に含まれる反射部１３２，１３３が集光位置に挿入されているとする。このとき、光ファイバ１１の端面から波長λ１〜λ３の光が出射されると、そのうちの波長λ１の光は光ファイバ２２の端面に入射し、残りの波長λ２，λ３の光は光ファイバ１２の端面に入射する。これら波長λ２，λ３それぞれの光は、光パワー分岐素子３１によりパワー分岐され、透過波長がλ２に設定された波長可変フィルタ３２ａから波長λ２の光が出力され、透過波長がλ３に設定された波長可変フィルタ３２ｂから波長λ３の光が出力される。また、透過波長がλ２に設定された波長可変フィルタ４２ａを透過した波長λ２の光と、透過波長がλ３に設定された波長可変フィルタ４２ｂを透過した波長λ３の光とは、光パワー分岐素子４１により合波されて、光ファイバ２１に入力し、光ファイバ２２の端面に入射する。
【００９２】
この光デバイス９では、各波長の光に対して経路を選択しているので、構成そのものに起因する損失が発生しない。
【００９３】
（変形例）
本発明は、上記実施形態に限定されるものではなく、種々の変形が可能である。例えば、各実施形態において、第２実施形態の場合の如く、各光ファイバをｘｚ平面に平行な共通の平面上に並列配置するように変形することも可能である。光ファイバの数（入出力ポートの数）は任意であり、この個数に応じて、反射部の個数や、反射部の反射面における部分反射部の個数を適切に設計すればよい。光ファイバに替えて、基板上に形成された平面光導波路が用いられてもよい。透過型の回折格子素子に買えて、反射型の回折格子素子が用いられてもよい。また、上記実施形態では、光信号処理器として分散補償器の場合について説明したが、これに限られない。
【図面の簡単な説明】
【００９４】
【図１】第１実施形態に係る光合分波器１の構成図である。
【図２】第１実施形態に係る光合分波器１の動作を説明する図である。
【図３】反射部１３１および透過部１３１の第１例の構成を示す図である。
【図４】反射部１３１および透過部１３１の第２例の構成を示す図である。
【図５】第２実施形態に係る光合分波器２の構成図である。
【図６】第３実施形態に係る光合分波器３の構成図である。
【図７】第３実施形態に係る光合分波器３の動作を説明する図である。
【図８】第３実施形態に係る光合分波器３の他の動作を説明する図である。
【図９】第４実施形態に係る光合分波器４の構成図である。
【図１０】第５実施形態に係る光合分波器５の構成図である。
【図１１】本実施形態に係る光デバイス９の構成図である。
【符号の説明】
【００９５】
１〜５・・・光合分波器、９…光デバイス、１１〜１３，２１〜２３，３１〜３６…光ファイバ、１１１〜１１４…光学系、１２１，１２２…回折格子素子、１３１〜１３６…反射部、１４１…透過部。
【図１】
2005308867.tif 000007
【図２】
2005308867.tif 000008
【図３】
2005308867.tif 000009
【図４】
2005308867.tif 000010
【図５】
2005308867.tif 000011
【図６】
2005308867.tif 000012
【図７】
2005308867.tif 000013
【図８】
2005308867.tif 000014
【図９】
2005308867.tif 000015
【図１０】
2005308867.tif 000016
【図１１】
2005308867.tif 000017